(57)【要約】      （修正有）【課題】あらゆる場所で便利に使える隆鼻整形具を提供する。【解決手段】本隆鼻整形具は、左隆起整形部１０１と右隆起整形部１０２を有し、その要点は、前記左隆起整形部と右隆起整形部の外側が、保護連結帯３により連結され、前記左隆起整形部と右隆起整形部に薄型磁性片２が内嵌され、かつ左隆起整形部と右隆起整形部に嵌入された薄型磁性片は磁極が相反する。従来技術と比べて、保護連結帯だけが目立たないように露出しているため、使用者は多くの状況で使用することができる。【選択図】図１
0003171616.tif 000002
【実用新案登録請求の範囲】
【請求項１】
隆鼻整形具であって、左隆起整形部と右隆起整形部を有し、前記左隆起整形部と右隆起整形部の外側が、保護連結帯により連結され、前記左隆起整形部と右隆起整形部に薄型磁性片が内嵌され、かつ左隆起整形部と右隆起整形部に嵌入された薄型磁性片は磁極が相反することを特徴とする隆鼻整形具。
【請求項２】
左隆起整形部と右隆起整形部は硬質材料からなり、前記輪状の薄型磁性片は前記左隆起整形部と右隆起整形部の中間部位に内嵌され、さらなる改善として、前記左隆起整形部と右隆起整形部の外表面に医療用シリカゲル層が設置されることを特徴とする、請求項１に記載の隆鼻整形具。
【請求項３】
前記左隆起整形部と右隆起整形部の上縁部と下縁部は、それぞれ鼻孔の内先端と内底端の曲面構成に従って設計され、さらに、前記左隆起整形部と右隆起整形部の横方向の厚さは、最大３ミリメートルを越えないことを特徴とする、請求項２に記載の隆鼻整形具。
【考案の詳細な説明】
【技術分野】
【０００１】
本考案は隆鼻整形具に関し、該隆鼻整形具は主に低い鼻をできるだけ高く、かつ形状を美しくするためのものに関する。
【背景技術】
【０００２】
従来の隆鼻整形具はＣＮ９７１１０３４７．Ｘ発明特許に公開されたようなものである。このような隆鼻整形具は一対の隆鼻杆を含み、前記隆鼻杆の先端がいわゆる隆起整形部に形成され、その一対の隆起整形部同士が相互に近接又は分離可能なようになるために、一方の隆鼻杆に嵌合凸部に形成されると同時に、他方の隆鼻杆に嵌合凹部に形成され、且つ前記嵌合凸部と嵌合凹部を接合させ、かつ、両隆鼻杆の間に弾発装置が設けられ、両隆鼻杆の隆起接合部を通常強制的に近接させる。ＣＮ９７１１０３４７．Ｘ発明特許に公開されたその一種の隆鼻整形具は、実際に隆起整形部に一つの杆部を延伸させ、装置および該杆部に作用するバネ力により、両隆起整形部を接近させて鼻中隔を挟むことで、隆起整形部を鼻腔の中に定位させる、これによって、鼻の形状を整形する目的が達成される。このような隆鼻整形具は、使用中に、杆部とバネ部が目立つように露出しているため、家や診療室でしか使用できない。このような目立つように露出する部品を有するものを、公の場で使用することは想像できないし、周知のとおり、物理的な方法による整形は周期が長く、仮に整形器具が、いつでもどこでも、あらゆる状況で使用できず、また不便である場合には、その効果に必ず影響をもたらす。従って、従来技術を一層改善する必要がある。
【先行技術文献】
【特許文献】
【０００３】
【特許文献１】中国特許出願番号ＣＮ９７１１０３４７．Ｘ
【考案の概要】
【考案が解決しようとする課題】
【０００４】
本考案は、従来技術の問題点を克服し、使用する際に目立つように露出する部品または組立部品がなく、あらゆる場所でも便利に使える、新型の隆鼻整形具を提供することを目的とする。
【課題を解決するための手段】
【０００５】
本考案の隆鼻整形具は、左隆起整形部と右隆起整形部を有し、その要点は、前記左隆起整形部と右隆起整形部の外側が、保護連結帯により連結され、前記左隆起整形部と右隆起整形部に薄型磁性片が内嵌され、かつ左隆起整形部と右隆起整形部に嵌入された薄型磁性片は磁極が相反する。
【０００６】
本考案のような隆鼻整形具は、従来技術と比べて、隆起整形部から延伸させる杆部がなく、隆起整形部を相互に接近させ、鼻中隔を挟むバネ装置もないし、左隆起整形部と右隆起整形部に内嵌されている薄型磁性片のお互いの磁力により、左隆起整形部と右隆起整形部を相互に接近させ、鼻中隔が挟まれる。保護連結帯だけが目立たないように露出しているため、わざわざ観察しない限り、一般的に使用者が本考案の隆鼻整形具を使用していることがわからない。保護連結帯は、隆起整形部が鼻腔に入る深さを制限するため、隆起整形部が内鼻腔に滑入することを防止するように作用する。明らかなように、本考案は従来技術に存在している問題点を解決した。
【０００７】
本考案が提供する比較的に良い実施例において、記述された隆鼻整形具は、左隆起整形部と右隆起整形部を有し、その要点は、前記左隆起整形部と右隆起整形部の外側が、保護連結帯により連結され、前記左隆起整形部と右隆起整形部に輪状の薄型磁性片が内嵌され、かつ左隆起整形部と右隆起整形部に嵌入された薄型磁性片は磁極が相反する。
【考案の効果】
【０００８】
この比較的に良い実施例において、前記左隆起整形部と右隆起整形部は硬質材料からなり、前記輪状の薄型磁性片が前記左隆起整形部と右隆起整形部の中間部位に内嵌され、さらなる改善として、前記左隆起整形部と右隆起整形部の外表面に医療用シリカゲル層が設置される。これを設置することで、硬質材料が鼻腔への傷を避けることがメリットが得られる。
【０００９】
さらなる改善として、前記左隆起整形部と右隆起整形部の上縁部と下縁部は、それぞれ鼻孔の内先端と内底端の曲面構成に従って設計され、使用者の付け心地の良さを改善することを図る。同時に、呼吸通路を十分に確保するために、前記左隆起整形部と右隆起整形部の横方向の厚さは、最大３ミリメートルを越えないこととする。
【図面の簡単な説明】
【００１０】
【図１】は本考案の比較的に良い実施例が提供する一種の隆鼻整形具の構成を示す図である。
【図２】は本考案の比較的に良い実施例が提供する一種の隆鼻整形具の左視図である。
【考案を実施するための形態】
【００１１】
以下、本考案の比較的に良い実施例が提供する一種の隆鼻整形具及びその図を用いて、本考案についてさらに説明する。
【００１２】
図１、図２に示すように、本考案の比較的に良い実施例が提供する一種の隆鼻整形具は、左隆起整形部１０１と右隆起整形部１０２を有し、前記左隆起整形部１０１と右隆起整形部１０２の外側が、保護連結帯３により連結され、前記左隆起整形部１０１と右隆起整形部１０２に薄型磁性片２が内嵌され、かつ左隆起整形部１０１と右隆起整形部１０２に嵌入された薄型磁性片２は磁極が相反する。
【００１３】
さらなる改善として、本比較的に良い実施例において、前記左隆起整形部１０１と右隆起整形部１０２は硬質材料からなり、前記薄型磁性片２はネオジム磁石からなり、前記輪状の薄型磁性片２は前記左隆起整形部１０１と右隆起整形部１０２の中間部位に内嵌され、前記左隆起整形部１０１と右隆起整形部１０２の外表面に医療用シリカゲル層１０５が設置される。これを設置することで、硬質材料が鼻腔への傷を避けることがメリットが得られる。
【００１４】
さらなる改善として、前記左隆起整形部１０１と右隆起整形部１０２の上縁部１０３と下縁部１０４は、それぞれ鼻孔の内先端と内底端の曲面構成に従って設計され、使用者の付け心地の良さを改善することを図る。同時に、呼吸通路を十分に確保するために、前記左隆起整形部１０１と右隆起整形部１０２の横方向の厚さは、最大３ミリメートルを越えないこととする。
【００１５】
本考案を使用する際、まず鼻柱の所に潤滑液を少し塗り、前記左隆起整形部１０１と右隆起整形部１０２を分け、両鼻孔（左右に注意）に入れて、大鼻翼の内側脚の所において、それらを互いに吸引させ、次に残っている保護連結帯３及び、左隆起整形部１０１と右隆起整形部１０２の下縁部１０４を鼻孔に入れて、その後、鼻をつまむことでつけ付け心地の良さを調整する。
【００１６】
鼻先や鼻梁を高くするためには、左隆起整形部１０１と右隆起整形部１０２を、鼻孔に入れて埋め、次に露出している保護連結帯３を介して外鼻柱に掛ける方式により、左隆起整形部１０１と右隆起整形部１０２の下縁部１０４の末端が外へ移動され、この場合には、左隆起整形部１０１と右隆起整形部１０２は基本的に、立てた状態で鼻孔内にあるので、大鼻翼が上へ向けて高くなる。
【００１７】
鼻頭を整形するためであれば、薄型磁片２を鼻柱の上半部、即ち鼻中隔と大鼻翼の内側脚の結合箇所に位置させることができ、鼻孔両辺の薄型磁性片２が異なる極性を持つため、互いに引かれ合い、磁力の作用で鼻中隔を圧迫し、大鼻翼の内側脚が近づき、鼻中隔が薄く高くなり、これによって、鼻頭が高くなると同時に鼻頭が狭くなる。
【００１８】
鼻梁を高くするためには、薄型磁性片２を鼻孔のより深い部位に位置させ、大鼻翼の内脚を圧迫して高くすることにより、鼻梁を高くする目的が達成される。
【００１９】
上記の如く、本考案の隆鼻整形具は、左隆起整形部と右隆起整形部を有し、その要点は、前記左隆起整形部と右隆起整形部の外側が、保護連結帯により連結され、前記左隆起整形部と右隆起整形部に薄型磁性片が内嵌され、かつ左隆起整形部と右隆起整形部に嵌入された薄型磁性片は磁極が相反する。従来技術と比べて、保護連結帯だけが目立たないように露出しているため、使用者は多くの状況で使用することができ、従来技術に存在する問題点を効果的に克服した。
【００２０】
上記の記述は、本考案の具体的な実施方式に過ぎない。但し、本考案の保護範囲はこれらに限定されるものではない。本技術分野に熟知しているいかなる技術者は、本考案に掲載した技術範囲において、容易に考えられる変更や置換はすべて本考案の保護範囲に含まれるべきである。したがって、本方案の保護範囲は請求項の保護範囲に準じるべきである。
【符号の説明】
【００２１】
１０１    左隆起整形部
１０２    右隆起整形部
１０３    上縁部
１０４    下縁部
１０５    医療用シリカゲル層
２    薄型磁性片
３    保護連結帯
【図１】
0003171616.tif 000003
【図２】
0003171616.tif 000004